(57)【特許請求の範囲】
【請求項１】
袖部又は脚部の上端面後部に前方が開放された係止縁を形成するとともに、天板の後方に横設した補強部材に設けた係止孔に後方から係止金具の前向きフックを係合して取付け、前記係止金具の本体から後方へ延び天板の後端よりも後方へ突出した係合爪を前記係止縁に斜め前方からスライド挿入して係止するとともに、前記袖部又は脚部の上端面前部と前記天板の前方に横設した補強部材間を係着具にて落込み係合してなることを特徴とする机の天板取付構造。
【請求項２】
前記天板の後方の補強部材の下面に奥行方向に延びた水平係止孔と後面に上下方向に延びた垂直係止孔をそれぞれ並設し、前記係止金具の断面略コ字形の本体両側板にそれぞれ水平係止孔と垂直係止孔に係止する二対の前向きフックを形成するとともに、本体の後方延長部分を前記係合爪としてなる請求項１記載の机の天板取付構造。
【請求項３】
前記係着具は、合成樹脂製で一体成形されたものであり、前記袖部又は脚部の上端面前部と前記天板の前方に横設した補強部材の一方に形成したダルマ孔に嵌合係止する頭付きピンを有するとともに、他方に形成したテーパー孔に係入する本体部と該本体部から弾性突出して前記テーパー孔の孔縁に抜止め係合する弾性爪を有するものである請求項１又は２記載の机の天板取付構造。
【発明の詳細な説明】
【０００１】
【発明の属する技術分野】
本発明は、机の天板取付構造に係わり、更に詳しくは袖部又は脚部の上端面に天板をワンタッチで係合して強固に取付けることが可能な机の天板取付構造に関する。
【０００２】
【従来の技術】
従来のスチール机において、袖部に天板を取付ける構造としては、実公昭５８−４６６７４号公報に記載されたものがある。この公報記載の取付構造は、天板の後方補強部材の側面部に係合溝を形成するとともに、前方補強部材にダルマ孔となした係合孔を形成し、袖部の後桟に後向き係合爪を形成するとともに、前桟に頭付きの係合突起を固着し、天板を袖部に対して前方へスライドさせながら後部において前記係合爪を係合溝に係止させると同時に、前部において係合突起を係合孔に係合させ、この際に袖部の前桟に上方へ弾性付勢した戻り止め部材の突起の前面を、天板の前補強部材の後部面に接触させて袖部と天板との係合状態を維持するものである。
【０００３】
この袖部と天板との連結作業においては、袖部の上面に対して天板を略水平な状態で係合溝と係合爪及び係合孔と係合突起の全ての位置を同時に正確に決めなければならず、その位置決め作業に手間がかかるといった問題を有していた。また、袖部の上面には、前記係合爪、係合突起及び戻り止め部材の突起が突出しているので、袖部の梱包、搬送時にこれらの突出物が変形又は損傷する恐れもあった。また、組立工程に工具が不要であるといった利点はあるものの、係合溝と係合爪、係合孔と係合突起及び戻り止め部材といった三種類の係合部材又は加工が必要であり、それらの位置関係も精度良く形成しなければならないので、コスト低減化にはあまり寄与しない。
【０００４】
また、袖部と天板とを分離する場合には、袖部の引出しを取り去った状態で、袖部の内部に手を差し込んで天板の内部側に突出した戻り止め部材の突起を押し込みながら、天板を後方へスライド移動させなければならず、その作業が面倒であるばかりでなく、指を挟む危険性があった。
【０００５】
【発明が解決しようとする課題】
本発明が前述の状況に鑑み、解決しようとするところは、組立作業の前には、袖部又は脚部の上端面及び天板の下面に何ら突起物が存在せず、袖部又は脚部の上端面に天板をワンタッチで簡単且つ強固に取付けることができるとともに、袖部と脚部とで取付構造を共通化して構造を簡略化し、更に袖部と天板との分離作業においては引出しを取り外す必要がない机の天板取付構造を提供する点にある。
【０００６】
【課題を解決するための手段】
本発明は、前述の課題解決のために、袖部又は脚部の上端面後部に前方が開放された係止縁を形成するとともに、天板の後方に横設した補強部材に設けた係止孔に後方から係止金具の前向きフックを係合して取付け、前記係止金具の本体から後方へ延び天板の後端よりも後方へ突出した係合爪を前記係止縁に斜め前方からスライド挿入して係止するとともに、前記袖部又は脚部の上端面前部と前記天板の前方に横設した補強部材間を係着具にて落込み係合してなる机の天板取付構造を構成した。
【０００７】
また、前記天板の後方の補強部材の下面に奥行方向に延びた水平係止孔と後面に上下方向に延びた垂直係止孔をそれぞれ並設し、前記係止金具の断面略コ字形の本体両側板にそれぞれ水平係止孔と垂直係止孔に係止する二対の前向きフックを形成するとともに、本体の後方延長部分を前記係合爪としてなることが好ましい。
【０００８】
更に、前記係着具は、合成樹脂製で一体成形されたものであり、前記袖部又は脚部の上端面前部と前記天板の前方に横設した補強部材の一方に形成したダルマ孔に嵌合係止する頭付きピンを有するとともに、他方に形成したテーパー孔に係入する本体部と該本体部から弾性突出して前記テーパー孔の孔縁に抜止め係合する弾性爪を有するものであるとより好ましい。
【０００９】
【発明の実施の形態】
次に本発明の実施形態を添付図面に基づき更に詳細に説明する。図１は本発明に係る机の全体斜視図、図２は天板の底面図、図３〜図１１は天板と袖部との取付構造、図１２〜図１６は天板と脚部との取付構造を示し、図中１は天板、２は袖部、３は脚部、４は幕板、５は係止金具、６は係着具をそれぞれ示している。
【００１０】
本発明に係る机は、天板１を、袖部２と脚部３の後端面間を幕板４で連結した状態で、前記袖部２と脚部３の上端面に複数の係止金具５及び係着具６を用いてワンタッチで簡単に取付けた構造のものである。ここで、前記天板１と袖部２との取付構造と、天板１と脚部３との取付構造とは、その基本構造が共通するものであり、同一の係止金具５及び係着具６を用いて同様に取付ける。
【００１１】
先ず、図２〜図７に基づいて、天板１と袖部２との取付構造を説明する。先ず、前記天板１はその下面の後縁部に補強部材７を横設し、前縁部に補強部材８を横設し、更に奥行方向の中間部にも二本の補強部材９，９を横設している。尚、各補強部材の位置関係を明確にするために、「後」「前」「中」を付けて区別する。また、机には右袖タイプ、左袖タイプ及び両袖タイプがあり、天板１に対する袖部２の取付けは左右どちらの側でも行えるように、前記天板１は左右対称な構造となっている。そして、天板１の下面には前記係止金具５及び係着具６を仮止め状態で取付けることができるようになっている。
【００１２】
前記天板１の後補強部材７には、下面７Ａに奥行方向に延びた水平係止孔１０と後面７Ｂに上下方向に延びた垂直係止孔１１をそれぞれ並設し、これら係止孔がセットとなって天板１の両端部とそれよりも内方の中間部の二ヶ所に設けられている。そして、前記前補強部材８の下面の長手方向に形成した凹溝８Ａ内に大径部１２Ａと小径部１２Ｂとからなるダルマ孔１２を形成し、このダルマ孔１２が前補強部材８の長手方向両側部に所定の間隔を隔てて二ヶ所ずつ設けている。また、後述の脚部３を連結するために、前記中補強部材９の下面の長手方向に形成した凹溝９Ａ内の端部に同様なダルマ孔１２を形成している。
【００１３】
また、前記袖部２の上端面には、当該袖部２の補強と天板１への取付けのために、後縁部に後横桟１３を横設するとともに、前縁部に前横桟１４を横設している。そして、前記後横桟１３には、セットとなった前記水平係止孔１０と垂直係止孔１１に略対応する位置に挿入孔１５を形成し、該挿入孔１５の後縁を係止縁１６となしている。一方、前記前横桟１４には、前記前補強部材８に形成したダルマ孔１２，１２に対応する位置に、それぞれ下方へ陥没したテーパー孔１７を形成し、該テーパー孔１７の下端は上下に貫通してあり、その周囲が孔縁１７Ａとなっている。
【００１４】
そして、前記係止金具５は、断面略コ字形の本体１８の両側板１８Ａ，１８Ａにそれぞれ前記水平係止孔１０，１０と垂直係止孔１１，１１に係止する二対の前向きフック１９，２０を形成するとともに、本体１８の後方延長部分を前記係止縁１６に係止する係合爪２１となしている（図８及び図９参照）。
【００１５】
また、前記係着具６は、合成樹脂製で一体成形されたものであり、前記天板１の前補強部材８の凹溝８Ａに形成したダルマ孔１２に嵌合係止する頭付きピン２２を有するとともに、前記袖部２の前横桟１４に形成したテーパー孔１７に係入する本体部２３と該本体部２３から弾性突出して前記テーパー孔１７の孔縁１７Ａに抜止め係合する弾性爪２４を有するものである（図１０及び図１１参照）。この係着具６の基本構造自体は、既に金属製のものが提供されているが、部品点数が多く且つコスト高であるので、本発明ではポリカーボネート等の高強度の合成樹脂製で一体成形したものを用いた。
【００１６】
そこで、前記係止金具５及び係着具６を用いて前記天板１を袖部２に取付けるには、先ず図４に示すように、天板１の後補強部材７に形成した水平係止孔１０，１０に係止金具５の前向きフック１９，１９の先端を挿入しながら、垂直係止孔１１，１１に前向きフック２０，２０を挿入し、それ以上前方移動しないようになるまで確実に係合する。次に図５に示すように、前記係着具６の頭付きピン２２を天板１の前補強部材８に形成したダルマ孔１２の大径部１２Ａから挿入し、側方へスライドさせて頭付きピン２２を小径部１２Ｂに係止する。それから、図３に示すように、天板１の後部を下げた傾斜状態で、前記係止金具５の本体１８を挿入孔１５に挿入しながら、該本体１８から後方へ延び天板１の後端よりも後方へ突出した係合爪２１を前記係止縁１６に斜め前方からスライド挿入して係止した後、天板１の前部を押し下げて、前記係着具６の本体部２３を袖部２のテーパー孔１７内に落込み係合することによって、弾性爪２４がテーパー孔１７の孔縁１７Ａに抜止め係合して取付作業が完了する（図７及び図８参照）。
【００１７】
また、天板１と袖部２とを分離する場合には、袖部２の最上段の引出し（図示せず）を引き出せば、図７に示すように、前記係着具６の弾性爪２４は袖部２の上かまち部の内方の簡単に手が届く位置にあるので、この係着具６の弾性爪２４を本体部２３側へ変形させて、天板１の前部を持ち上げれば、係着具６がテーパー孔１７内から抜け、それから天板１を手前に引けば、前記係止金具５が係止縁１６から外れて簡単に抜けるのである。
【００１８】
次に、図１２〜図１６に基づいて天板１と脚部３との取付構造を説明する。前記脚部３は、脚板３Ａの下端に前方へ延びた接地脚３Ｂを固定するとともに、脚板３Ａの上端に前方へ延びた支持杆３Ｃを固定した構造であり、該支持杆３Ｃは断面略Ｕ字形でその両上縁を内方に折曲して補強片２５，２５を形成したものである。そして、前記支持杆３Ｃの後端部と前部には、補強片２５を切り欠いた部分に後固定板２６と前固定板２７とを固着し、該後固定板２６の前縁を前記係止縁１６と同様の係止縁２８となし、前記前固定板２７には前記テーパー孔１７と同様のテーパー孔２９を形成している。
【００１９】
そして、前記天板１を脚部３に取付けるには、前記同様に天板１の後補強部材７に形成した水平係止孔１０と垂直係止孔１１とに係止金具５の前向きフック１９，２０を係合して取付けるとともに、前側の中補強部材９の凹溝９Ａ内に形成したダルマ孔１２に係着具６の頭付きピン２２を嵌合係止した状態で、前記係止金具５の係合爪２１を係止縁２８に斜め前方からスライド挿入して係止するとともに、前記係着具６の本体部２３をテーパー孔２９内に落込み係合させて、弾性爪２４を孔縁２９Ａに抜止め係合するのである。
【００２０】
尚、天板１と脚部３とを分離するには、前記支持杆３Ｃの側面に前記弾性爪２４を本体部２３に押し込むための工具を挿入する開口を設けておく必要がある。その他の構成は前記同様であるので、同一構成には同一符号を付してその説明は省略する。
【００２１】
【発明の効果】
以上にしてなる本発明の机の天板取付構造によれば、天板の後部に係止金具を係合するとともに、前部に係着具を係合した状態で、係止金具の本体から後方へ延び天板の後端よりも後方へ突出した係合爪を袖部又は脚部の後部に設けた係止縁に斜め前方からスライド挿入して係止した後、天板の前部を押し下げることにより前記係着具を袖部又は脚部の前部に落込み係合するだけで、袖部又は脚部に天板をワンタッチで簡単且つ強固に取付けることができる。また、袖部と脚部とで取付構造を共通化し、共通部品を使用することにより、構造を簡略化し、コスト低減化を図ることができる。更に、袖部と天板との分離作業においては従来のように引出しを取り外す必要がなく、簡単に分離できる。また、組立作業の前には、袖部又は脚部の上端面及び天板の下面に何ら突起物が存在しないので、梱包や搬送時に取付構造部分に変形や損傷が生じる恐れがないのである。
【図面の簡単な説明】
【図１】本発明に係る机の全体斜視図である。
【図２】天板の底面図である。
【図３】天板を袖部に取付ける前の状態を示す分解斜視図である。
【図４】同じく後部における取付構造を一部破断して示した省略分解斜視図である。
【図５】同じく前部における取付構造を一部破断して示した省略分解斜視図である。
【図６】同じく後部の取付状態を示し部分断面図である。
【図７】同じく前部の取付状態を示し部分断面図である。
【図８】係止金具を示し、（ａ）  は係合爪側から見た背面図、（ｂ）  は縦断面図である。
【図９】同じく係止金具の全体斜視図である。
【図１０】係着具の全体斜視図である。
【図１１】同じく係着具の断面図である。
【図１２】天板を脚部に取付ける前の状態を示す分解斜視図である。
【図１３】同じく後部における取付構造を一部破断して示した省略分解斜視図である。
【図１４】同じく前部における取付構造を一部破断して示した省略分解斜視図である。
【図１５】同じく後部の取付状態を示し部分断面図である。
【図１６】同じく前部の取付状態を示し部分断面図である。
【符号の説明】
１  天板                  ２  袖部
３  脚部                  ３Ａ  脚板
３Ｂ  接地脚              ３Ｃ  支持杆
４  幕板                  ５  係止金具
６  係着具                ７  後補強部材
７Ａ  下面                ７Ｂ  後面
８  前補強部材            ８Ａ  凹溝
９  中補強部材            ９Ａ  凹溝
１０  水平係止孔          １１  垂直係止孔
１２  ダルマ孔            １２Ａ  大径部
１２Ｂ  小径部            １３  後横桟
１４  前横桟              １５  挿入孔
１６  係止縁              １７  テーパー孔
１７Ａ  孔縁              １８  本体
１８Ａ  側板              １９  前向きフック
２０  前向きフック        ２１  係合爪
２２  頭付きピン          ２３  本体部
２４  弾性爪              ２５  補強片
２６  後固定板            ２７  前固定板
２８  係止縁              ２９  テーパー孔
２９Ａ  孔縁
【図１】
0003591526.tif 000002
【図２】
0003591526.tif 000003
【図３】
0003591526.tif 000004
【図４】
0003591526.tif 000005
【図５】
0003591526.tif 000006
【図６】
0003591526.tif 000007
【図７】
0003591526.tif 000008
【図８】
0003591526.tif 000009
【図９】
0003591526.tif 000010
【図１０】
0003591526.tif 000011
【図１１】
0003591526.tif 000012
【図１２】
0003591526.tif 000013
【図１３】
0003591526.tif 000014
【図１４】
0003591526.tif 000015
【図１５】
0003591526.tif 000016
【図１６】
0003591526.tif 000017